【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
通信の方法であって、
発光ダイオード（ＬＥＤ）発光体デバイスによる可視光通信（ＶＬＣ）を使用する通信のためのメッセージを取得することと、
１または複数のデータ信号によって後続される同期信号を使用して前記メッセージをフォーマットすることと、ここで、前記１または複数のデータ信号は、周波数シフトキーイング（ＦＳＫ）変調スキームを使用して変調される、
ＶＬＣを使用する前記通信のための、前記ＬＥＤ発光体デバイスから発せられる光の第１の輝度に関連づけられた第１の調光レベル値と、ＶＬＣを使用する前記通信のための、前記ＬＥＤ発光体デバイスから発せられる光の第２の輝度に関連づけられた第２の調光レベル値とを受信することと、
前記フォーマットされたメッセージに基づいた周波数と前記第１の調光レベル値に基づいた前記ＬＥＤ発光体デバイスのための第１のデューティサイクルとを有する第１の波形を生成することと、
前記生成された第１の波形をＶＬＣを使用する前記通信のために前記ＬＥＤ発光体デバイスに送ることと、
前記フォーマットされたメッセージに基づいた周波数と前記第２の調光レベル値に基づいた前記ＬＥＤ発光体デバイスのための第２のデューティサイクルとを有する第２の波形を生成することと、
前記生成された第２の波形をＶＬＣを使用する前記通信のために前記ＬＥＤ発光体デバイスに送ることと、
を備える、方法。
【請求項２】
前記メッセージは、ネットワークエンティティから取得される、請求項１に記載の方法。
【請求項３】
前記メッセージは、ＶＬＣセントラルコントローラに関連づけられた内部メモリストレージから取得される、請求項１に記載の方法。
【請求項４】
前記第１の調光レベル値および前記第１のデューティサイクルは、線形的に、または対数的に、のいずれかに関連する、請求項１に記載の方法。
【請求項５】
前記第１の波形は、矩形波である、請求項１に記載の方法。
【請求項６】
前記周波数は、１５０Ｈｚ乃至１００００Ｈｚの範囲内である、請求項１に記載の方法。
【請求項７】
前記１または複数のデータ信号の各々は、１／（１秒あたりのフレーム（ｆｐｓ））秒の持続時間を有し、ｆｐｓは、前記１または複数のデータ信号を受信するための受信機のフレームレートである、請求項１に記載の方法。
【請求項８】
前記同期信号は、前記ＦＳＫ変調スキームを使用して変調される、請求項１に記載の方法。
【請求項９】
通信のための装置であって、
発光ダイオード（ＬＥＤ）発光体デバイスによる可視光通信（ＶＬＣ）を使用する通信のためのメッセージを取得するための手段と、
１または複数のデータ信号によって後続される同期信号を使用して前記メッセージをフォーマットするための手段と、ここで、前記１または複数のデータ信号は、周波数シフトキーイング（ＦＳＫ）変調スキームを使用して変調される、
ＶＬＣを使用する前記通信のための、前記ＬＥＤ発光体デバイスから発せられる光の第１の輝度に関連づけられた第１の調光レベル値と、ＶＬＣを使用する前記通信のための、前記ＬＥＤ発光体デバイスから発せられる光の第２の輝度に関連づけられた第２の調光レベル値とを受信するための手段と、
前記フォーマットされたメッセージに基づいた周波数と前記第１の調光レベル値に基づいた前記ＬＥＤ発光体デバイスのための第１のデューティサイクルとを有する第１の波形を生成するための手段と、
前記生成された第１の波形をＶＬＣを使用する前記通信のために前記ＬＥＤ発光体デバイスに送るための手段と、
前記フォーマットされたメッセージに基づいた周波数と前記第２の調光レベル値に基づいた前記ＬＥＤ発光体デバイスのための第２のデューティサイクルとを有する第２の波形を生成するための手段と、
前記生成された第２の波形をＶＬＣを使用する前記通信のために前記ＬＥＤ発光体デバイスに送るための手段と、
を備える、装置。
【請求項１０】
前記メッセージは、ネットワークエンティティ、または、ＶＬＣセントラルコントローラに関連づけられた内部メモリストレージから取得される、請求項９に記載の装置。
【請求項１１】
前記第２の調光レベル値および前記第２のデューティサイクルは、線形的に、または対数的に、のいずれかに関連する、請求項９に記載の装置。
【請求項１２】
前記第２の波形は、矩形波である、請求項９に記載の装置。
【請求項１３】
前記周波数は、１５０Ｈｚ乃至１００００Ｈｚの範囲内である、請求項９に記載の装置。
【請求項１４】
前記１または複数のデータ信号の各々は、１／（１秒あたりのフレーム（ｆｐｓ））秒の持続時間を有し、ｆｐｓは、前記１または複数のデータ信号を受信するための受信機のフレームレートである、請求項９に記載の装置。
【請求項１５】
前記同期信号は、前記ＦＳＫ変調スキームを使用して変調される、請求項９に記載の装置。
【請求項１６】
通信のための装置であって、
メモリと、
前記メモリに結合され、
発光ダイオード（ＬＥＤ）発光体デバイスによる可視光通信（ＶＬＣ）を使用する通信のためのメッセージを取得することと、
１または複数のデータ信号によって後続される同期信号を使用して前記メッセージをフォーマットすることと、ここで、前記１または複数のデータ信号は、周波数シフトキーイング（ＦＳＫ）変調スキームを使用して変調される、
ＶＬＣを使用する前記通信のための、前記ＬＥＤ発光体デバイスから発せられる光の第１の輝度に関連づけられた第１の調光レベル値と、ＶＬＣを使用する前記通信のための、前記ＬＥＤ発光体デバイスから発せられる光の第２の輝度に関連づけられた第２の調光レベル値とを受信することと、
前記フォーマットされたメッセージに基づいた周波数と前記第１の調光レベル値に基づいた前記ＬＥＤ発光体デバイスのための第１のデューティサイクルとを有する第１の波形を生成することと、
送信モジュールを介して、前記生成された第１の波形をＶＬＣを使用する前記通信のために前記ＬＥＤ発光体デバイスに送ることと、
前記フォーマットされたメッセージに基づいた周波数と前記第２の調光レベル値に基づいた前記ＬＥＤ発光体デバイスのための第２のデューティサイクルとを有する第２の波形を生成することと、
前記送信モジュールを介して、前記生成された第２の波形をＶＬＣを使用する前記通信のために前記ＬＥＤ発光体デバイスに送ることと、
を行うように構成された、少なくとも１つのプロセッサと、
を備える、装置。
【請求項１７】
前記メッセージは、ネットワークエンティティから取得される、請求項１６に記載の装置。
【請求項１８】
前記メッセージは、ＶＬＣセントラルコントローラに関連づけられた内部メモリストレージから取得される、請求項１６に記載の装置。
【請求項１９】
前記第１の調光レベル値および前記第１のデューティサイクルは、線形的に、または対数的に、のいずれかに関連する、請求項１６に記載の装置。
【請求項２０】
前記第１の波形は、矩形波である、請求項１６に記載の装置。
【請求項２１】
前記周波数は、１５０Ｈｚ乃至１００００Ｈｚの範囲内である、請求項１６に記載の装置。
【請求項２２】
前記１または複数のデータ信号の各々は、１／（１秒あたりのフレーム（ｆｐｓ））秒の持続時間を有し、ｆｐｓは、前記１または複数のデータ信号を受信するための受信機のフレームレートである、請求項１６に記載の装置。
【請求項２３】
前記同期信号は、前記ＦＳＫ変調スキームを使用して変調される、請求項１６に記載の装置。
【請求項２４】
通信のためのコンピュータ実行可能なコードを記憶する非一時的なコンピュータ読取可能な媒体であって、
発光ダイオード（ＬＥＤ）発光体デバイスによる可視光通信（ＶＬＣ）を使用する通信のためのメッセージを取得することと、
１または複数のデータ信号によって後続される同期信号を使用して前記メッセージをフォーマットすることと、ここで、前記１または複数のデータ信号は、周波数シフトキーイング（ＦＳＫ）変調スキームを使用して変調される、
ＶＬＣを使用する前記通信のための、前記ＬＥＤ発光体デバイスから発せられる光の第１の輝度に関連づけられた第１の調光レベル値と、ＶＬＣを使用する前記通信のための、前記ＬＥＤ発光体デバイスから発せられる光の第２の輝度に関連づけられた第２の調光レベル値とを受信することと、
前記フォーマットされたメッセージに基づいた周波数と前記第１の調光レベル値に基づいた前記ＬＥＤ発光体デバイスのための第１のデューティサイクルとを有する第１の波形を生成することと、
前記生成された第１の波形をＶＬＣを使用する前記通信のために前記ＬＥＤ発光体デバイスに送ることと、
前記フォーマットされたメッセージに基づいた周波数と前記第２の調光レベル値に基づいた前記ＬＥＤ発光体デバイスのための第２のデューティサイクルとを有する第２の波形を生成することと、
前記生成された第２の波形をＶＬＣを使用する前記通信のために前記ＬＥＤ発光体デバイスに送ることと、
を行うためのコード
を備える、非一時的なコンピュータ読取可能な媒体。
【請求項２５】
前記同期信号は、前記ＦＳＫ変調スキームを使用して変調される、請求項２４に記載の非一時的なコンピュータ読取可能な媒体。
【手続補正２】
【補正対象書類名】明細書
【補正対象項目名】００５２
【補正方法】変更
【補正の内容】
【００５２】
[0061]先の説明は、本明細書において説明されたさまざまな態様の実現をいずれの当業者にも可能にさせるために提供される。これらの態様に対するさまざまな変更は、当業者に容易に理解され、本明細書において定義された一般的な原理は、他の態様に適用され得る。かくして、特許請求の範囲は、本明細書に示された態様に限定されるように意図されるのではなく、特許請求の範囲の文言と一致する全範囲を与えられるべきであり、単数形の要素への言及は、特にそのように記載されない限り、「１および１のみ」ではなく、むしろ「１または複数」を意味するように意図される。そうでないと特に記載されていない限り、「いくつかの」という用語は、１または複数のことを言う。「例示的な」という単語は、本明細書では、「例、事例、または実例としての役割を果たす」ことを意味するために使用される。「例示的」なものとして本明細書において説明されたいかなる態様も、必ずしも他の態様より好ましいまたは有利であると解釈されるべきではない。「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」といった組み合わせは、Ａ、Ｂ、および／またはＣの任意の組み合わせを含み、複数のＡ、複数のＢ、または複数のＣを含み得る。特に、「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」といった組み合わせは、Ａのみ、Ｂのみ、Ｃのみ、ＡおよびＢ、ＡおよびＣ、ＢおよびＣ、またはＡおよびＢおよびＣであり得、任意のこのような組み合わせは、Ａ、Ｂ、またはＣの１または複数のメンバーあるいは複数のメンバーを含み得る。当業者に公知であるかまたは後に公知となる、本開示全体を通じて説明されたさまざまな態様の要素の構造的および機能的なすべての均等物が、参照によって本明細書に明確に組み込まれ、特許請求の範囲に含まれるように意図される。さらに、本明細書に開示されたいかなるものも、このような開示が特許請求の範囲において明示的に列挙されるかどうかに関わらず、公衆に放棄されるように意図されていない。いかなる特許請求の範囲の要素も、要素が「〜するための手段」という句を使用して明確に列挙されない限り、ミーンズプラスファンクション（means plus function）として解釈されるべきではない。
以下に、本願出願の当初の特許請求の範囲に記載された発明を付記する。
［Ｃ１］
通信の方法であって、
発光ダイオード（ＬＥＤ）発光体デバイスによる可視光通信（ＶＬＣ）を使用する通信のためのメッセージを取得することと、
１または複数のデータ信号によって後続される同期信号を使用して前記メッセージをフォーマットすることと、ここで、前記１または複数のデータ信号は、周波数シフトキーイング（ＦＳＫ）変調スキームを使用して変調される、
前記ＬＥＤ発光体デバイスから発せられる光の輝度に関連づけられた調光レベル値を受信することと、
前記フォーマットされたメッセージに基づいた周波数と前記調光レベル値に基づいた前記ＬＥＤ発光体デバイスのためのデューティサイクルとを有する波形を生成することと、
前記生成された波形をＶＬＣを使用する通信のために前記ＬＥＤ発光体デバイスに送ることと、
を備える、方法。
［Ｃ２］
前記メッセージは、ネットワークエンティティから取得される、Ｃ１に記載の方法。
［Ｃ３］
前記メッセージは、ＶＬＣセントラルコントローラに関連づけられた内部メモリストレージから取得される、Ｃ１に記載の方法。
［Ｃ４］
前記調光レベル値および前記デューティサイクルは、線形的に、または対数的に、のいずれかに関連する、Ｃ１に記載の方法。
［Ｃ５］
前記波形は、矩形波である、Ｃ１に記載の方法。
［Ｃ６］
前記周波数は、１５０Ｈｚ乃至１００００Ｈｚの範囲内である、Ｃ１に記載の方法。
［Ｃ７］
前記１または複数のデータ信号の各々は、１／（１秒あたりのフレーム（ｆｐｓ））秒の持続時間を有し、ｆｐｓは、前記１または複数のデータ信号を受信するための受信機のフレームレートである、Ｃ１に記載の方法。
［Ｃ８］
前記同期信号は、前記ＦＳＫ変調スキームを使用して変調される、Ｃ１に記載の方法。
［Ｃ９］
無線通信の方法であって、
無線デバイスが、発光ダイオード（ＬＥＤ）発光体デバイスからの可視光通信（ＶＬＣ）ベースの信号を受信することと、
１または複数の記憶された同期信号レプリカとの相関によって前記ＶＬＣベースの信号における同期信号を検出することと、
前記検出された同期信号に基づいて前記ＶＬＣベースの信号に含まれるメッセージを復号することと、
を備え、
ここで、前記メッセージは、１または複数のデータ信号によって後続される前記同期信号を使用してフォーマットされ、前記１または複数のデータ信号は、周波数シフトキーイング（ＦＳＫ）変調スキームを使用して変調される、方法。
［Ｃ１０］
前記ＶＬＣベースの信号は、１２０Ｈｚと１００００Ｈｚとの間の周波数範囲内である、Ｃ９に記載の方法。
［Ｃ１１］
前記ＶＬＣベースの信号は、ローリングシャッターを使用するイメージセンサによって受信される、Ｃ９に記載の方法。
［Ｃ１２］
前記記憶された同期信号レプリカの各々は、異なる調光レベルに対応する、Ｃ９に記載の方法。
［Ｃ１３］
前記相関は、周波数領域において実行される、Ｃ９に記載の方法。
［Ｃ１４］
前記１または複数のデータ信号の各々は、１／（１秒あたりのフレーム（ｆｐｓ））秒の持続時間を有し、ｆｐｓは、前記１または複数のデータ信号を受信するための前記無線デバイスのフレームレートである、Ｃ９に記載の方法。
［Ｃ１５］
前記同期信号は、前記ＦＳＫ変調スキームを使用して変調される、Ｃ９に記載の方法。
［Ｃ１６］
前記メッセージは、前記ＬＥＤ発光体デバイスに関連づけられた物理ロケーションを識別する媒体アクセス制御（ＭＡＣ）アドレスを含む、Ｃ９に記載の方法。
［Ｃ１７］
通信のための装置であって、
発光ダイオード（ＬＥＤ）発光体デバイスによる可視光通信（ＶＬＣ）を使用する通信のためのメッセージを取得するための手段と、
１または複数のデータ信号によって後続される同期信号を使用して前記メッセージをフォーマットするための手段と、ここで、前記１または複数のデータ信号は、周波数シフトキーイング（ＦＳＫ）変調スキームを使用して変調される、
前記ＬＥＤ発光体デバイスから発せられる光の輝度に関連づけられた調光レベル値を受信するための手段と、
前記フォーマットされたメッセージに基づいた周波数と前記調光レベル値に基づいた前記ＬＥＤ発光体デバイスのためのデューティサイクルとを有する波形を生成するための手段と、
前記生成された波形をＶＬＣを使用する通信のために前記ＬＥＤ発光体デバイスに送るための手段と、
を備える、装置。
［Ｃ１８］
前記メッセージは、ネットワークエンティティ、または、ＶＬＣセントラルコントローラに関連づけられた内部メモリストレージから取得される、Ｃ１７に記載の装置。
［Ｃ１９］
前記調光レベル値および前記デューティサイクルは、線形的に、または対数的に、のいずれかに関連する、Ｃ１９に記載の装置。
［Ｃ２０］
前記波形は、矩形波である、Ｃ１７に記載の装置。
［Ｃ２１］
前記周波数は、１５０Ｈｚ乃至１００００Ｈｚの範囲内である、Ｃ１７に記載の装置。
［Ｃ２２］
前記１または複数のデータ信号の各々は、１／（１秒あたりのフレーム（ｆｐｓ））秒の持続時間を有し、ｆｐｓは、前記１または複数のデータ信号を受信するための受信機のフレームレートである、Ｃ１７に記載の装置。
［Ｃ２３］
前記同期信号は、前記ＦＳＫ変調スキームを使用して変調される、Ｃ１７に記載の装置。
［Ｃ２４］
無線通信のための装置であって、
発光ダイオード（ＬＥＤ）発光体デバイスからの可視光通信（ＶＬＣ）ベースの信号を受信するための手段と、
１または複数の記憶された同期信号レプリカとの相関によって前記ＶＬＣベースの信号における同期信号を検出するための手段と、
前記検出された同期信号に基づいて前記ＶＬＣベースの信号に含まれるメッセージを復号するための手段と、
を備え、
ここで、前記メッセージは、１または複数のデータ信号によって後続される前記同期信号を使用してフォーマットされ、前記１または複数のデータ信号は、周波数シフトキーイング（ＦＳＫ）変調スキームを使用して変調される、装置。
［Ｃ２５］
前記ＶＬＣベースの信号は、１２０Ｈｚと１００００Ｈｚとの間の周波数範囲内である、Ｃ２４に記載の装置。
［Ｃ２６］
前記ＶＬＣベースの信号は、ローリングシャッターを使用するイメージセンサによって受信される、Ｃ２４に記載の装置。
［Ｃ２７］
前記記憶された同期信号レプリカの各々は、異なる調光レベルに対応する、Ｃ２４に記載の装置。
［Ｃ２８］
前記１または複数のデータ信号は、１／（１秒あたりのフレーム（ｆｐｓ））秒の持続時間を有し、ｆｐｓは、前記１または複数のデータ信号を受信するための前記装置のフレームレートである、Ｃ２４に記載の装置。
［Ｃ２９］
前記メッセージは、前記ＬＥＤ発光体デバイスに関連づけられた物理ロケーションを識別する媒体アクセス制御（ＭＡＣ）アドレスを含む、Ｃ２４に記載の装置。
［Ｃ３０］
前記同期信号は、前記ＦＳＫ変調スキームを使用して変調される、Ｃ２４に記載の装置。